(57)【特許請求の範囲】
【請求項１】
和風便器周辺の床仕上げ部及び床下地部の一部ならびに和風便器の便鉢部上方を除去し、該和風便器の便鉢部に接続配管挿入口を設け、該挿入口上方より接続配管を挿入し、前記和風便器の非除去部上方より前記和風便器周辺の床下地部の除去した部分まで充填材で充填し、該接続配管に衛生設備を取り付けたことを特徴とする衛生設備の施工構造。
【請求項２】
和風便器周辺の床仕上げ部及び床下地部の一部ならびに和風便器の便鉢部上方を除去し、該和風便器の便鉢部に接続配管挿入口を設け、該挿入口上方より接続配管を挿入し、前記和風便器の非除去部上方より前記和風便器周辺の床下地部の除去した部分まで充填材で充填し、新設の防水層を設け、階下への漏水を防止するために新設の防水層と既設の防水層と接続させ、該接続配管に衛生設備を取り付けたことを特徴とする衛生設備の施工構造。
【請求項３】
和風便器周辺の床仕上げ部及び床下地部の一部ならびに和風便器の便鉢部上方を除去し、前記和風便器の便鉢部に接続配管挿入口を設け、該挿入口上方より接続配管を配設、接続し、前記和風便器の非除去部上方より前記和風便器周辺の床下地部の除去した部分まで充填材で充填し、前記接続配管に衛生設備を取り付けることを特徴とする衛生設備の施工方法。
【請求項４】
和風便器周辺の床仕上げ部及び床下地部の一部ならびに和風便器の便鉢部上方を除去し、前記和風便器の便鉢部に接続配管挿入口を設け、該挿入口上方より接続配管を配設、接続し、前記和風便器の非除去部上方より前記和風便器周辺の床下地部の除去した部分まで充填材で充填し、新設の防水層を設け、階下への漏水を防止するために新設の防水層と既設の防水層と接続させ、前記接続配管に衛生設備を取り付けることを特徴とする衛生設備の施工方法。
【発明の詳細な説明】
【技術分野】
【０００１】
本発明は、衛生設備の施工構造及び施工方法に係わり、特に設置階からだけの作業で、和風便器から他の衛生設備への施工を短工期で行うことのできる衛生設備の施工構造及び施工方法に関する。
【背景技術】
【０００２】
多層階の建築物における和風便器２から衛生設備４への施工において、まず、図１６−（ａ）の状態ように設置された和風便器２を設置フロアから粉砕するなどして取り除き、階下の天井裏より潜り込んで、和風便器２の破片を回収し、既設の給水管及び排水管７を取り除き、図１６−（ｂ）の状態となる。次に、コンクリートスラブ１６内に埋設されている既設の鉄筋４４を露出させ、前記既設の鉄筋４４に新設の鉄筋１７を溶接し、階下から新設の給水管１５及び排水管４１を立ち上げ、下から新設の蓋４５で貫通孔を塞ぎ、図１６−（ｃ）の状態となる。最後に図１６−（ｄ）のように、モルタル等の充填材１２で埋め戻しを行い、養生後、床仕上げを行った後、衛生設備４の取付けが行われる。また、階下の天井に点検口がない場合は、既設の天井を一度壊してから天井裏で作業を行い、作業終了時に天井を元に戻したり、階下の天井が脚立を使用しても入れないくらい高い場合は、階下に足場を組んで、作業を行っているというように、階下からの作業は、現場によって、別途作業を伴うこともある。
【発明の開示】
【発明が解決しようとする課題】
【０００３】
従来、既設の和風便器から衛生設備を施工する際、作業者は既設の和風便器を粉砕して取り外し、階下の天井裏より和風便器の破片を回収する作業、配管の解体作業及び配設作業を行うため、２つのフロアにまたがる施工になり、工期が長くなり、また、人工も多くなり、施工コストが増大する。
【０００４】
このような階下からの作業では、上向き作業が多く、作業環境はかなり悪いため、作業効率は低下しやすく、現場によっては、別途作業を伴うこともある。
【０００５】
また、既設の排水管等の産業廃棄物の処理作業は、既設の排水管の臭い、汚れがひどく、かなり重いため大変な作業であるため、工期が長くなる。
【０００６】
一方、設置階の作業においては、既設の和風便器を取り外す際に生じた貫通穴に鉄筋をはり、モルタルで埋め戻すため、乾燥までの養生が長時間必要であり、さらに床仕上げ前に不陸補修作業も必要なため、工期が長くなる。
【０００７】
本発明は、上記課題を解決するためになされたもので、本発明の目的は、既設の和風便器、給排水管を全て取り外すことがなく、設置階からだけの作業で衛生設備を施工することができるため、従来、行っていた既設の和風便器の取り外し作業、階下の天井裏より行っていた和風便器の破片を回収する作業、配管の解体作業及び配設作業を省き、廃棄物の処理作業を軽減し、しかも速硬性の充填材、床プレートを使用すれば、乾燥までの養生を大幅に短縮できるため、大幅な工期短縮が可能な衛生設備の施工構造及び施工方法を提供することにある。
【課題を解決するための手段】
【０００８】
上記目的を達成するために本発明における請求項１記載の衛生設備の施工構造は和風便器周辺の床仕上げ部及び床下地部の一部ならびに和風便器の便鉢部上方を除去し、該和風便器の便鉢部に接続配管挿入口を設け、該挿入口上方より接続配管を挿入し、前記和風便器の非除去部上方より前記和風便器周辺の床下地部の除去した部分まで充填材で充填し、該接続配管に衛生設備を取り付けたことである。
【０００９】
この発明では、和風便器、既設の給排水管を全て取り外すことがなく、設置階からだけの作業で衛生設備を施工することができるため、従来、行っていた既設の和風便器の取り外し作業、階下の天井裏より行っていた和風便器の破片を回収する作業、配管の解体作業及び配設作業を省き、廃棄物の処理作業を軽減できるため、工期を短縮することができる。この発明では、既設の床面からの凸部が軽減されるため取付けられる衛生設備の種類が増える。和風便器の非除去部を充填材で充填するため、和風便器の非除去部が隠蔽され、さらに、充填材の上に仕上げ材を施工することもできるため、外見良く仕上げることができる。また、和風便器の非除去部が充填材と接着されるため、万が一、和風便器の非除去部がひび割れしても、その破片が階下へ落下することはない。和風便器周辺の床仕上げ部及び床下地部の一部を除去し、前記和風便器の非除去部上方より前記和風便器周辺の床下地部の除去した部分まで充填材で充填したので、上方からの過大な荷重により、充填材で埋設された和風便器の非除去部の階下への脱落を防止することができる。
【００１０】
上記目的を達成するために本発明における請求項２記載の衛生設備の施工構造は和風便器周辺の床仕上げ部及び床下地部の一部ならびに和風便器の便鉢部上方を除去し、該和風便器の便鉢部に接続配管挿入口を設け、該挿入口上方より接続配管を挿入し、前記和風便器の非除去部上方より前記和風便器周辺の床下地部の除去した部分まで充填材で充填し、新設の防水層を設け、階下への漏水を防止するために新設の防水層と既設の防水層と接続させ、該接続配管に衛生設備を取り付けたことである。
【００１１】
請求項３記載の発明は、和風便器周辺の床仕上げ部及び床下地部の一部ならびに和風便器の便鉢部上方を除去し、前記和風便器の便鉢部に接続配管挿入口を設け、該挿入口上方より接続配管を配設、接続し、前記和風便器の非除去部上方より前記和風便器周辺の床下地部の除去した部分まで充填材で充填し、前記接続配管に衛生設備を取り付ける施工方法である。
【００１２】
この発明では、和風便器の設置されている階からだけの作業で、既設の和風便器から衛生設備に施工することができる。和風便器周辺の床仕上げ部及び床下地部の一部を除去し、前記和風便器の非除去部上方より前記和風便器周辺の床下地部の除去した部分まで充填材で充填するので、上方からの過大な荷重により、充填材で埋設された和風便器の非除去部の階下への脱落を防止することができる。
【００１３】
請求項４記載の発明は、和風便器周辺の床仕上げ部及び床下地部の一部ならびに和風便器の便鉢部上方を除去し、前記和風便器の便鉢部に接続配管挿入口を設け、該挿入口上方より接続配管を配設、接続し、前記和風便器の非除去部上方より前記和風便器周辺の床下地部の除去した部分まで充填材で充填し、新設の防水層を設け、階下への漏水を防止するために新設の防水層と既設の防水層と接続させ、前記接続配管に衛生設備を取り付ける施工方法である。
【発明の効果】
【００１４】
本発明は上記構成により次の効果を発揮する。以上説明したように請求項１における発明では、和風便器、既設の給排水管を全て取り外すことがなく、設置階からだけの作業で衛生設備を施工することができるため、従来、行っていた既設の和風便器の取り外し作業、階下の天井裏より行っていた和風便器の破片を回収する作業、配管の解体作業及び配設作業を省き、廃棄物の処理作業を軽減し、工期を短縮することができる。請求項１における発明では、既設の床面からの凸部が軽減されるため取付けられる衛生設備の種類が増える。和風便器の非除去部を充填材で充填するため、和風便器の非除去部が隠蔽され、さらに、充填材の上に仕上げ材を施工することもできるため、外見良く仕上げることができる。また、和風便器の非除去部が充填材と接着されるため、万が一、和風便器の非除去部がひび割れしても、その破片が階下へ落下することはない。和風便器周辺の床仕上げ部及び床下地部の一部を除去し、前記和風便器の非除去部上方より前記和風便器周辺の床下地部の除去した部分まで充填材で充填したので、上方からの過大な荷重により、充填材で埋設された和風便器の非除去部の階下への脱落を防止することができる。
【発明を実施するための最良の形態】
【００１５】
以下、図面を基に本発明の一実施例を具体的に説明する。図１に示すように、和風便器の便鉢部３上方を切削する一方、和風便器の便鉢部３に接続配管挿入口５を設け、前記接続配管挿入口５上方より接続配管１を挿入し、衛生設備４を取り付けるため、和風便器２及び既設の給水管及び排水管７を全て取り除くことなく、腰掛便器、洗面カウンター等の衛生設備４を施工することができる。なお、和風便器の便鉢部３上方および便鉢部３の除去方法は、ディスクグラインダなどの一般的な切削工具を用いて、簡単に切削できるが、特に限定されない。また、和風便器の便鉢部３上方の除去構造については、和風便器２を支持しているリム導水路部８を全て除去すると、和風便器２が階下に落下する恐れがあるが、和風便器２が階下に落下しない限り、部分的に除去してもよく、その除去構造は特に限定されない。また、和風便器２だけでなく、和風便器２周辺の床仕上げ部９及び床下地部１０を除去してもよい。図示の例では、前記和風便器２を既設の床仕上げ部９と面一になるように除去し、衛生設備４を施工しているが、その施工構造は特に限定されない。また、和風便器の便鉢部３の除去構造については、接続配管１の外径以上の大きさである限り、特に限定されず、全て除去してもよい。
【００１６】
図２−（ａ）に示すように、和風便器の便鉢部３上方を除去する一方、和風便器の便鉢部３に接続配管挿入口５を設け、前記接続配管挿入口５上方より接続配管１を挿入後、前記和風便器２上方より、充填材１２で充填するため、和風便器２及び既設の給水管６及び排水管７を全て取り除くことなく、衛生設備４を施工することができる。使用する充填材１２は、和風便器の非除去部１１上方より充填することができれば、２種類以上組み合わせて使用してもよく、特に限定されない。また、速硬性セルフレベリング材を使用すれば、簡単なこて作業で凸凹のない表面状態に仕上げることができ、床仕上げ材を施工する際、不陸補修作業を省き、更なる工期短縮が可能である。また、施工構造については、好ましくは図示の例のように充填材１２が既設の排水管７に入らないように充填し、新設の床仕上げ部１３を既設の床仕上げ部９と面一となるように施工すれば、既設の床仕上げ部９との段差が解消され、使用者は躓くことがなく、安全である。また、充填材１２に速硬性セルフレベリング材または速硬性モルタルを使用すれば、乾燥までの養生時間を短縮できるため、さらに工期短縮できる。
【００１７】
一方、給水系統については、図示の例では、和風便器２周辺の床仕上げ部９及び既設の床下地部１０を除去後、既設の給水管６を切断し、ねじを切らず直接既設の給水管６に接続できる管継手１４を用いて、新設の給水管１５と接続しているため、階下からの作業を伴わずに従来技術と同様に外見よく仕上ることができるが、その接続構造は特に限定されない。また、既設の床仕上げ部９上面から床下地部１０下面までの高さが低く、前記高さ内では、既設の給水管６と新設の給水管１５を接続できない場合、図２−（ｂ）のようにコンクリートスラブ１６を部分的に除去してもよい。
【００１８】
図３−（ａ）に示すように、和風便器の非除去部１１上方より、充填材１２で充填する際、前記充填材１２と共に新設の鉄筋１７を埋め込み、上方からの過大な荷重により、充填材１２で埋設された和風便器の非除去部１１の階下への脱落を防止することができる。図示の例では、和風便器２及び和風便器２周辺の床仕上げ部９及び床下地部１０を除去後、和風便器２の幅より長い新設の鉄筋１７を床下地部１０に吊るすように載置した状態で、和風便器の非除去部１１を充填材１２で埋設しているが、その構造は特に限定されない。新設の鉄筋１７の形状は、和風便器の非除去部１１内に納まり、接続配管１と緩衝せず、両端が既設の床下地部１０に引っかかるように構成されている限り、特に限定されず、図３−（ｂ）（ｃ）（ｄ）にその一例を示す。また、この新設の鉄筋１７は１つとは限らず、和風便器の非除去部１１内に納まる限り、２つ以上使用してもよい。
【００１９】
図４に示すように、埋設される和風便器の非除去部１１と充填材１２との間に緩衝材１８を入れている。使用する緩衝材１８は、充填材１２養生時の膨張、収縮を吸収できれば、２種類以上組み合わせて使用してもよく、特に限定されない。また、図示の例では、緩衝材１８は和風便器の非除去部１１全面に処理されているが、充填材１２養生時の膨張、収縮を吸収できれば、部分的な処理でもよく、その施工構造は特に限定されない。
【００２０】
図５に示すように、和風便器の便鉢部３上方及び和風便器２周辺の床仕上げ部９及び床下地部１０を除去する一方、前記和風便器の便鉢部３に接続配管挿入口５を設け、前記接続配管挿入口５上方より接続配管１を挿入し、前記和風便器２上方より、接続配管挿入口２０を備えた床プレート１９の接続配管挿入口２０に前記接続配管１を挿入しつつ、前記接続配管１に衛生設備４を取付ける。前記床プレート１９の形状は、床プレート１９を隙間なく載置できるように、前記除去部に概略一致するような形状が適しているが、衛生設備４を充分に支持できる形状である限り、特に限定されない。また材質については、衛生設備４を充分に支持できるような鉄板等の剛体が適しているが、衛生設備４を充分に支持できる限り、特に限定されず、仕上げを兼ね備えてもよい。図示の例では、床プレート１９を既設の床仕上げ部９と面一になるように載置し、既設の床仕上げ部９と面一で衛生設備４を施工できるため、外見よく仕上げることができ、既設の床仕上げ部９との段差が解消され、使用者は躓くことがなく、安全であるが、その施工構造は特に限定されない。
【００２１】
また、図６−（ａ）に示すように、床プレート１９を１枚使用する場合、床プレート１９は必ず接続配管挿入口２０を備えており、前記接続配管挿入口２０の形状は、接続配管１の外径以上であれば、特に限定されない。また、図６−（ｂ）のように、床プレート１９は１つとは限らず、２つ以上組み合わせて使用してもよく、このように床プレート１９を２枚以上使用する場合、床プレート１９の組み合わせにより、接続配管挿入口２０を設けられるので、床プレート１９は必ずしも前記接続配管挿入口２０を備えていなくてもよい。
【００２２】
また、図７に示すように床プレート１９は、支持部２１を兼ね備えてもよく、床プレート１９と一体でも別体でもよい。使用される床プレートの支持部２１は、前記床プレート１９を支持する必要があるため、例えば炭素鋼等の剛性の高いものが望ましいが、床プレート１９を支持できる限り、特に限定されない。なお、この支持部２１は１つとは限らず、２つ以上使用すれば、より充分な支持が可能である。
【００２３】
図８に示すように、床プレート１９は高さ調整できるように構成されているため、設置される床面が不陸であっても、床プレート１９の高さ調整及び水平調整が簡単に行うことができ、工期短縮できる。床プレート１９の高さ調整機能については、高さ調整機能が一体になっている床プレート１９を使用しても、高さ調整できる別部材を使用してもよく、別部材を使用した場合、現場に応じて、高さ調整部材を取付けることができ、床プレート１９を載置する床面の不陸が少ない部分で高さ調整できる。また、このような高さ調整機能は、１つとは限らず、２つ以上使用すれば、より高精度な高さ調整及び水平調整が可能である。図示の例では、前記床プレート１９に貫通口を設け、その貫通口を覆うように、雌ネジ加工された床プレート脚部材２２を取付け、雄ネジ加工が施された高さ調整脚２３が垂直方向にねじ込める構造になっている。前記高さ調整脚２３のねじ込み具合で、高さ調整及び水平調整ができるが、高さ調整及び水平調整ができる限り、その調整構造は特に限定されない。なお、この例における高さ調整脚２３は、床プレート１９を支持する必要があるため、例えば炭素鋼等の剛性の高いものが望ましいが、床プレート１９を支持できる限り、特に限定されない。
【００２４】
図９に示すように、前記床プレート１９の上部に床プレート仕上げ材２４を設け、前記接続配管１に衛生設備４を取り付けるため、外見よく仕上げることができる。前記床プレート仕上げ材２４は、床プレート１９の上部に施工することができれば、床プレート仕上げ材２４の大きさ、材質、形状は特に限定されない。図示の例では、和風便器２及び前記和風便器２周辺の床仕上げ部９及び床下地部１０を除去し、前記床プレート１９を載置し、前記既設の床仕上げ部９と前記床プレート仕上げ材２４とが面一となるように床プレート仕上げ材２４を配設し、前記接続配管１に衛生設備４を施工されているため、外見よく仕上げることができ、既設の床仕上げ部９との段差が解消され、使用者は躓くことがなく、安全である。
【００２５】
図１０に示すように、充填材１２に防水処理を施したため、和風便器２と既設の床仕上げ部９及び床下地部１０との隙間からの階下への漏水を防止することができる。防水処理方法は、防水シートを貼り付けたり、防水塗装を施す等の方法があるが、防水できる限り、特に限定されない。好ましくは図示の例のように、和風便器の便鉢部３上方を除去する一方、和風便器の便鉢部３に接続配管挿入口５を設け、該接続配管挿入口５上方より接続配管１を挿入し、前記和風便器２上方より充填材１２で充填し、養生後、新設の防水層２６を既設の防水層２５と接続するように構成すれば、完全な防水構造を確保できる。さらに、充填材１２に防水モルタル等の防水性能の高い充填材１２を使用すれば、施工構造の防水性能が高くなり、階下への漏水を防ぐことができ、また、養生時の収縮率の低いモルタル等の充填材１２を使用すれば、和風便器２と既設の床仕上げ部９及び床下地部１０との隙間からの階下への漏水を防止することができる。
【００２６】
図１１に示すように、接続配管１と和風便器の排水口部２７を接続することで、接続配管１を和風便器の排水口部２７でしっかり支持できるため、和風便器の非除去部１１を埋設する際、接続配管１がずれたりせず、簡単に和風便器の非除去部１１を埋設できる。さらに、既設の排水管７から発生する悪臭を防ぐことができる。図示の例では、接続配管１と和風便器の排水口部２７の接続は、接着剤２８を用いて、接続配管１を和風便器の排水口部２７周りに内挿して接着剤２８によって接続固定されるが、その接続構造は特に限定されず、パッキンを使用してもよい。
【００２７】
図１２−（ａ）に示すように、少なくとも部分的に前記和風便器の排水口部２７の最小径より小さな外径を持つ接続配管１を使用し、既設の排水管７と接続するため、万が一、和風便器の排水口部２７にクラックが生じても、そのクラックからの階下への漏水を防止することができる。図示の例では、接続配管１と既設の排水管７の接続は、接着剤２８を用いて、接続配管１を既設の排水管７周りに内挿して接着剤２８によって接続固定されるが、その接続構造は特に限定されず、パッキンを使用してもよい。
【００２８】
また、図１２−（ｂ）のように、和風便器の排水口部２７を除去すれば、接続配管１の管径が大きい場合においても、接続配管１と既設の排水管７を接続できる。図示の例では、和風便器の排水口部２７の除去構造は、接続配管１の外郭とほぼ一致しているため、充填材１２を充填しても、階下に落下することはないが、階下に充填材１２が落下しない限り、その除去構造は、特に限定されず、全て除去してもよい。
【００２９】
図１３に示すように、接続配管１に弾性部材２９を設ければ、前記弾性部材２９を和風便器の排水口部２７及び／または既設の排水管７に内挿して固定され、接着剤２８等を使用せずに接続できるため、簡単に接続配管１を和風便器の排水口部２７または既設の排水管７と接続できる。図示の例では、弾性部材２９を設けられた接続配管１を既設の排水管７に内挿し、固定されているが、弾性部材２９の形状は、和風便器の排水口部２７または既設の排水管７に密着し、固定できれば、特に限定されず、接続配管１と弾性部材２９は必ずしも別体でなくてもよく、一体でもよい。
【００３０】
図１４は、充填材１２を使用する際における衛生設備４の施工方法の一例を表した図である。図１４−（ａ）のように設置された和風便器２に対し、和風便器の便鉢部３上方及び和風便器２周辺の床仕上げ部９及ぶ床下地部１０を除去し、図１４−（ｂ）のようになる。次に、和風便器の便鉢部３を除去後、接続配管１を既設の排水管７と接続し、水平調整及び高さ調整後、新設の鉄筋１７を配設し、充填材１２を和風便器の非除去部１１内及び周辺床部に充填し、図１４−（ｃ）のようになる。養生後、最後に床仕上げを行い、腰掛便器３９を施工したものが図１４−（ｄ）である。接続配管１は、腰掛便器３９の排水口に接続する排水口側接続管３１と、和風便器２の排水口部２７及び／または既設の排水管７に接続する排水側接続管３２と、排水側接続管３２の他端に接続される排水側曲がり接続管３３と、排水口側接続管３１と排水側曲がり接続管３３とを接続する連結管３４とにより構成されている。上記の管部材は内嵌または外嵌により互いに接続されている。排水口側接続管３１の上流端に床フランジ３５が内嵌され接着固定されている。
【００３１】
図１５は、床プレート１９を使用する際における衛生設備４の施工方法の一例を表した図である。図１５−（ａ）のように設置された和風便器２に対し、和風便器の便鉢部３上方及び和風便器２周辺の床仕上げ部９及ぶ床下地部１０を除去し、図１５−（ｂ）のようになる。次に、和風便器の便鉢部３を除去後、接続配管１を既設の排水管７と接続し、水平調整及び高さ調整後、和風便器の非除去部１１上方より床プレート１９を配設し、図１５−（ｃ）のようになる。最後に、床仕上げを行い、腰掛便器３９を施工したものが図１５−（ｄ）である。
【図面の簡単な説明】
【００３２】
【図１】図１は、本発明における衛生設備の施工構造の縦断面図である。
【図２】図２は、本発明における衛生設備の施工構造の縦断面図であって、同図の（ａ）は、コンクリートスラブを除去しない例、同図の（ｂ）は、コンクリートスラブを除去する例を示す。
【図３】図３−（ａ）は、本発明の一実施形態における衛生設備の施工構造の横断面図であって、同図の（ｂ）、（ｃ）、（ｄ）は、鉄筋形状の一例について表した図である。
【図４】図４は、本発明の他の実施形態における衛生設備の施工構造の横断面図である。
【図５】図５は、本発明における衛生設備の施工構造の縦断面図である。
【図６】図６は、本発明における床プレートの斜視図であって、同図の（ａ）は、床プレートを１枚使用する場合について表した図、同図の（ｂ）は、床プレートを２枚以上使用する場合について表した図である。
【図７】図７は、本発明の他の実施形態における衛生設備の施工構造の縦断面図である。
【図８】図８は、本発明の他の実施形態における床プレートの高さ調整部材の縦断面図である。
【図９】図９は、本発明の他の実施形態における衛生設備の施工構造の縦断面図である。
【図１０】図１０は、本発明の他の実施形態における衛生設備の施工構造の縦断面図である。
【図１１】図１１は、本発明の他の実施形態における衛生設備の施工構造の縦断面図である。
【図１２】図１２は、本発明の他の実施形態における衛生設備の施工構造の縦断面図であって、同図の（ａ）は、和風便器の排水口部を除去しない例、同図の（ｂ）は、和風便器の排水口部を除去する例を示す。
【図１３】図１３は、本発明の他の実施形態における衛生設備の施工構造の縦断面図である。
【図１４】図１４は、本発明の他の実施形態における衛生設備の施工方法について表した図である。
【図１５】図１５は、本発明の他の実施形態における衛生設備の施工方法について表した図である。
【図１６】図１６は、通常の和風便器から衛生設備への施工方法の手順について表した図である。
【符号の説明】
【００３３】
１：接続配管
２：和風便器
３：和風便器の便鉢部
４：衛生設備
５：接続配管挿入口
６：既設の給水管
７：既設の排水管
８：和風便器のリム導水路部
９：既設の床仕上げ部
１０：既設の床下地部
１１：和風便器の非除去部
１２：充填材
１３：新設の床仕上げ部
１４：管継手
１５：新設の給水管
１６：コンクリートスラブ
１７：新設の鉄筋
１８：緩衝材
１９：床プレート
２０：床プレートの接続配管挿入口
２１：床プレートの支持部
２２：床プレート脚部材
２３：高さ調整脚
２４：床プレート仕上げ材
２５：既設の防水層
２６：新設の防水層
２７：和風便器の排水口部
２８：接着剤
２９：接続配管の弾性部材
【図１】
0003671979.tif 000002
【図２】
0003671979.tif 000003
【図３】
0003671979.tif 000004
【図４】
0003671979.tif 000005
【図５】
0003671979.tif 000006
【図６】
0003671979.tif 000007
【図７】
0003671979.tif 000008
【図８】
0003671979.tif 000009
【図９】
0003671979.tif 000010
【図１０】
0003671979.tif 000011
【図１１】
0003671979.tif 000012
【図１２】
0003671979.tif 000013
【図１３】
0003671979.tif 000014
【図１４】
0003671979.tif 000015
【図１５】
0003671979.tif 000016
【図１６】
0003671979.tif 000017